【事件の表示】
　特許第２９２２４３９号「バルコニーの取付構造」の請求項１に係る特許に対する特許異議の申立てについて、次のとおり決定する。
【結　論】
　訂正を認める。
　特許第２９２２４３９号の請求項１に係る特許を維持する。
【理　由】
１．手続の経緯
　本件特許第２９２２４３９号に係る出願は、平成６年１２月２７日の出願であって、平成１１年４月３０日に特許の設定登録がなされ、その後、トステム株式会社から特許異議の申立がなされ、取消理由が通知され、その指定期間内である平成１２年７月７日付けで訂正請求がなされさらに、訂正拒絶理由が通知され、意見書が提出されたものである。
　
２．訂正の要旨
　訂正事項ａ：特許請求の範囲の請求項１を、特許請求の範囲の減縮を目的として、次のように訂正する。
「【請求項１】　屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、前記建物の床根太の位置に取り付けられ、前記Ｌ字ブラケットの前記建物への固定を補強する補強金具を備え、前記補強金具は、建物の受材の屋外側に設けられ、前記鉛直部に交差し当該鉛直部を前記受材に固定する表側補強金具と、前記受材の屋内側に設けられ、当該受材と前記床根太との両コーナー部分に設けられた左右一対の裏側補強金具と、前記受材を貫通すると共に、前記表側補強金具の各外端部と前記各裏側補強金具の受材側の片とを前記受材を挟んだ状態で締結する第１締結ボルトと、前記床根太を貫通すると共に、前記両裏側補強金具の床根太側の片同士を前記床根太を挟んだ状態で締結する第２締結ボルトとで構成されていることを特徴とするバルコニーの取付構造。」
　訂正事項ｂ：特許請求の範囲の請求項２を、明瞭でない記載の釈明を目的として、次のように訂正する。
「【請求項２】　屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、前記鉛直部に交差し当該鉛直部を建物側に押圧固定する補強金具を設け、当該補強金具の両外端部は前記建物の受材を貫通する締結ボルトにより当該受材に固定され、前記補強金具には、前記締結ボルト用の雌ねじ部材及び雄ネジ部材のいずれか一方が、固着されていることを特徴とするバルコニーの取付構造。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂに係る訂正は、訂正事項ａに関連してなされた明瞭でない記載の釈明に該当し、引用形式の記載を独立形式の記載とし、かつ符号を削除しただけで、実質的に内容に変更はない。
　
（２）独立特許要件の判断
　訂正明細書の請求項１に係る発明は、訂正明細書の特許請求の範囲の請求項１に記載された事項により特定されるとおりのものであり（以下、「訂正後発明１」という。）、これに対して、当審が先に通知した取消理由で引用した、「’９４−’９５住宅建材業務用総合カタログ　エクステリア編」　１９９４年６月１日　トステム株式会社　ｐ．６７、６９ （以下、「引用例」という。）には、第６７頁「リビングデッキ　技術資料」の「先付けブラケットの取り付け」特に、中間柱　先付けブラケットの裏に梁がある場合及び第６９頁「リビングデッキ　納まり参考図」の側面図を参照すると、「鉛直部と鉛直部から前方に延びてリビングデッキを支持する水平部からなる先付けブラケットの鉛直部を裏に梁がある中間柱に固定し、鉛直部上部に交差し鉛直部を建物側に押圧固定する先付けブラケット補強金具の両外端部を、中間柱左右の胴差しを貫通する六角ボルトにより固定したリビングデッキの取付構造」が記載されていると認められる。
　訂正後発明１と上記引用例に記載された発明とを比較すると、引用例に記載された発明の「リビングデッキ」、「先付けブラケット」、「六角ボルト」及び「先付けブラケット補強金具」は、それぞれの機能に照らし、各々、訂正後発明１の「バルコニー」、「Ｌ字ブラケット」、「第１締結ボルト」及び「表側補強金具」に相当し、また、訂正後発明１の「建物」、「建物の受材」及び「床根太」は、刊行物１に記載された発明の「裏に梁がある中間柱」、「胴差し」及び「梁」に対応しており、さらに、刊行物１に記載された発明の鉛直部の水平部が前方に延びている箇所は、訂正後発明１の屈曲部に対応しているから、両者は、屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを建物に取り付けるバルコニーの取付構造において、前記建物の床根太の位置に取り付けられ、前記Ｌ字ブラケットの前記建物への固定を補強する補強金具を備え、前記補強金具は、建物の受材の屋外側に設けられ、前記鉛直部に交差し当該鉛直部を前記受材に固定する表側補強金具と、前記受材を貫通すると共に、前記表側補強金具の各外端部を建物の受材に締結する第１締結ボルトとで構成されているバルコニーの取付構造の点で一致し、下記の点で相違している。
ａ．バルコニーが取り付けられる建物が、訂正後発明１では、枠組壁工法による建物であるのに対し、刊行物１に記載された発明では、軸組壁工法による建物である点。
ｂ．補強金具が、訂正後発明１では、表側補強金具と、第１締結ボルト以外に受材の屋内側に設けられ、受材と床根太との両コーナー部分に設けられた左右一対の裏側補強金具と、床根太を貫通すると共に、両裏側補強金具の床根太側の片同士を床根太を挟んだ状態で締結する第２締結ボルトとで構成されているのに対し、刊行物１に記載された発明では、表側補強金具と第１締結ボルトに相当する、先付けブラケット補強金具と六角ボルトしかない点。
　ここで、建物の壁工法として枠組壁工法及び軸組壁工法のいずれも、例をあげるまでもなく周知技術であり、また、刊行物１に記載された軸組壁工法による建物へのリビングデッキの取付構造を、上記相違点ａにおける訂正後発明１のように枠組壁工法による建物へのバルコニーの取付構造に適用することに何ら困難性はない。
　しかしながら、刊行物１には、上記相違点ｂにおける訂正後発明１のような左右一対の裏側補強金具および第２締結ボルトは、記載されておらず、また示唆するところもなく、かつ周知技術でもない。そして、本件訂正後発明１は当該事項によって、明細書記載の作用効果を奏するものであるから、本件訂正後発明１が上記引用例に記載された発明と同一であるとも、あるいは当該発明と上記周知技術に基いて当業者が容易に発明をすることができたものともいえない。
　また、他に本件訂正後発明１が独立して特許を受けることができない理由を発見しない。
　したがって、本件訂正後発明１は、特許出願の際、独立して特許を受けることができるものである。
　
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
  　
４．異議の申立てについての判断
（１）申立ての理由の概要
　申立人トステム株式会社は、証拠として甲第１号証および甲第２号証を提出して、本件特許請求項１に係る発明は、甲第１号証および甲第２号に記載された発明と実質的に同一であるから、特許法第２９条第１項第３号の規定により特許を受けることができないものであるかまたは、甲第１号証および甲第２号に記載された発明に基づいて、当業者が容易に発明をすることができたものであるから、特許法第２９条第２項の規定により特許を受けることができないものであり、本件の特許を取り消すべきであると主張している。
　
（２）判断
　上記申立人トステム株式会社の提出した甲第２号証刊行物は、取消理由に引用した引用例と同じであり、さらに、甲第１号証である、トステム株式会社発行「住宅用建材総合カタログ４エクステリア編」第３版　’９３．１．１現在　’９２の第６１頁をみても、甲第２号証と同様な記載はあるが、訂正後発明１を特定する事項である、受材の屋内側に設けられ、受材と床根太との両コーナー部分に設けられた左右一対の裏側補強金具および床根太を貫通すると共に、両裏側補強金具の床根太側の片同士を床根太を挟んだ状態で締結する第２締結ボルトに関しては記載されておらず、また示唆するところもないから、前記３．（２）独立特許要件の判断で示したように、訂正後発明１は、申立人トステム株式会社が提出した甲第１号証および甲第２号証に記載された発明と実質的に同一であるとも、甲第１号証および甲第２号証に記載された発明から当業者が容易に発明をすることができたものであるともいえない。
　
５．むすび
　以上のとおりであるから、異議申立ての理由及び証拠によっては、訂正後発明１の特許を取り消すことはできない。
　また、他に訂正後発明１の特許を取り消すべき理由を発見しない。
　よって、結論のとおり決定する。
【異議決定日】
平成１２年１０月２０日（２０００．１０．２０）
【訂正の要旨】
訂正の要旨
　特許第２９２２４３９号の明細書を、特許請求の範囲の減縮を目的として下記訂正事項ａのように、訂正事項ａに関連してなされた明りょうでない記載の釈明を目的として訂正事項ｂのように訂正する。
訂正事項ａ：特許請求の範囲の請求項１を、特許請求の範囲の減縮を目的として、次のように訂正する。
「【請求項１】　屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、前記建物の床根太の位置に取り付けられ、前記Ｌ字ブラケットの前記建物への固定を補強する補強金具を備え、前記補強金具は、建物の受材の屋外側に設けられ、前記鉛直部に交差し当該鉛直部を前記受材に固定する表側補強金具と、前記受材の屋内側に設けられ、当該受材と前記床根太との両コーナー部分に設けられた左右一対の裏側補強金具と、前記受材を貫通すると共に、前記表側補強金具の各外端部と前記各裏側補強金具の受材側の片とを前記受材を挟んだ状態で締結する第１締結ボルトと、前記床根太を貫通すると共に、前記両裏側補強金具の床根太側の片同士を前記床根太を挟んだ状態で締結する第２締結ボルトとで構成されていることを特徴とするバルコニーの取付構造。」
　訂正事項ｂ：特許請求の範囲の請求項２を、明瞭でない記載の釈明を目的として、次のように訂正する。
「【請求項２】　屈曲部から上方に延びるＬ宇ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、前記鉛直部に交差し当該鉛直部を建物側に押圧固定する補強金具を設け、当該補強金具の両外端部は前記建物の受材を貫通する締結ボルトにより当該受材に固定され、前記補強金具には、前記締結ボルト用の雌ねじ部材及び雄ネジ部材のいずれか一方が、固着されていることを特徴とするバルコニーの取付構造。」
（５４）【発明の名称】
バルコニーの取付構造
（５７）【特許請求の範囲】
　　【請求項１】　屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、
　
前記建物の床根太の位置に取り付けられ、前記Ｌ字ブラケットの前記建物への固定を補強する補強金具を備え、
　
前記補強金具は、建物の受材の屋外側に設けられ、前記鉛直部に交差し当該鉛直部を前記受材に固定する表側補強金具と、
　
前記受材の屋内側に設けられ、当該受材と前記床根太との両コーナー部分に設けた左右一対の裏側補強金具と、
　
前記受材を貫通すると共に、前記表側補強金具の各外端部と前記各裏側補強金具の受材側の片とを前記受材を挟んだ状態で締結する第１締結ボルトと、
　
前記床根太を貫通すると共に、前記両裏側補強金具の床根太側の片同士を前記床根太を挟んだ状態で締結する第２締結ボルトとで構成されている
　　【請求項２】　
屈曲部から上方に延びるＬ字ブラケットの鉛直部を建物に固定すると共に、当該屈曲部から前方に延びる当該Ｌ字ブラケットの水平部でバルコニーを支持することにより、当該バルコニーを枠組壁工法による建物に取り付けるバルコニーの取付構造において、
　
前記鉛直部に交差し当該鉛直部を建物側に押圧固定する補強金具を設け、当該補強金具の両外端部は前記建物の受材を貫通する締結ボルトにより当該受材に固定され、
　前記補強金具には、前記締結ボルト用の雌ねじ部材及び雄ねじ部材のいずれか一方が、固着されていることを特徴とするバルコニーの取付構造。
【発明の詳細な説明】
　　　【０００１】
　　【産業上の利用分野】
　本発明は、枠組壁工法（ツーバイフォー工法）による建物に、ブラケットを介してバルコニーを取り付けるバルコニーの取付構造に関するものである。
　　　【０００２】
　　【従来の技術】
　枠組壁工法による建物では、規格化された長方形断面の縦枠、上枠、下枠、根太等を主体として骨組が構成されている。このため、枠組壁工法の建物に、持出し（柱なし）タイプのバルコニーを取り付ける場合には、固定金具を多用して、バルコニーの荷重を建物側で分散支持するようにしている。このような固定金具を多用した従来のバルコニーの取付構造として、例えば実開平５−３４２０１号公報に記載のものが知られている。
　　　【０００３】
　この取付構造では、床根太が接合する側根太や端根太等の受材の部分に、床根太と同芯上に固定金具を設け、この固定金具を介して、バルコニーが建物に取り付けられている。固定金具は、バルコニー側のブラケットと、建物側の一対のＬ字金具とから成り、ブラケットの基端に設けたフランジ板を受材の表側に当てがうと共に受材の裏側にＬ字金具を当てがい、これらを受材を貫通する締結ボルトにより、受材を挟んで共締めし、且つ両Ｌ字金具同士を、床根太貫通する締結ボルトにより、床根太を挟んで共締めして、受材及び床根太に取り付けられている。
　　　【０００４】
　　【発明が解決しようとする課題】
　このような従来のバルコニーの取付構造では、固定金具を介して、バルコニーを受材のみならず床根太でも支持するようにしているが、固定金具の主体を為すブラケットがフランジ構造を執っているため、建物側の特定の狭い部分で、バルコニーの荷重を受けている。このため、固定金具を強固なものにしても、受材及び床根太の一部に荷重が集中し、受材及び床根太が撓んだり傾いたりするおそれがあった。この場合、フランジ板を有するブラケットに代えてＬ字ブラケットを用い、バルコニーの荷重を建物側の広い部分に分散させることが考えられる。しかし、Ｌ字ブラケットの位置には、受材の裏側に床根太があるので、受材を貫通する締結ボルトに代えてコーチねじ（ラグスクリュー）を使う必要が生じ、強度的に好ましくなく、逆に、床根太を外れた位置にＬ字ブラケットを取り付けると、受材に負担がかかる過ぎる不具合がある。しかも、Ｌ字ブラケットでは、複数のコーチねじ（ラグスクリュー）叉は複数の締結ボルトが直線上に並ぶため、この点でも強度的に好ましくない。
　　　【０００５】
　本発明は、バルコ二一の荷重を建物側の広い部分に分散させることができるバルコニーの取付構造を提供することをその目的としている。
　　　【０００６】
　　【課題を解決するための手段】
　上記目的を達成すべく本発明は、屈曲部から上方に延びるＬ字ブラケットの鉛直部を建物に固定すると共に、屈曲部から前方に延びるＬ字ブラケットの水平部でバルコニーを支持することにより、バルコニーを枠組壁工法による建物に取り付けるバルコニーの取付構造において、鉛直部に交差し鉛直部を建物側に押圧固定する補強金具を設け、当該補強金具の両外端部を、建物の受材を貫通する締結ボルトにより受材に固定したことを特徴とする。
　　　【０００７】
　この場合、補強金具には、締結ボルト用の雌ねじ部材及び雄ねじ部材のいずれか一方が、固着されていることが、好ましい。
　　　【０００８】
　　【作用】
　バルコニーをＬ字ブラケットで建物側に支持しているため、Ｌ字ブラケットの鉛直部により、バルコニーの荷重を建物の上下方向に分散させることができ、且つ鉛直部を交差する補強金具により、締結ボルトを介して、バルコニーの荷重を建物の左右方向に分散させることができる。すなわち、バルコニーの荷重を、建物側の上下及び左右方向の広い部分に分散して受けることができる。また、Ｌ字ブラケットが、受材に突き当てた床根太等と同芯上に配設されている場合には、補強金具により床根太等を左右方向に逃げて締結ボルトを設けることができると共に、締結ボルトを介してＬ字金具等により、バルコニーを床根太等にも支持させることができる。しかも、Ｌ字ブラケットと補強金具とを別体で構成したことにより、補強金具を建物の各部に合うように複数種用意しておけば、Ｌ字ブラケットは、バルコニーに合わせ同一のものを用いることができる。
　　　【０００９】
　一方、補強金具に、締結ボルト用の雌ねじ部材叉は雄ねじ部材を固着することにより、ボルト・ナットを受材の裏側から締め込むだけで、締結ボルトの取付けを簡単に行うことができ、作業性を向上させることができる。
　　　【００１０】
　　【実施例】
　以下、添付図面を参照して、本発明の一実施例に係るバルコニーの取付構造について説明する。図１の平面図及び図２の縦断面図に示すように、このバルコニー１の取付構造は、持出し（柱なし）タイプのバルコニー１を枠組壁工法の建物２に取り付けるためのものであり、バルコニー１の左右の両端部が、それぞれＬ字ブラケット３，３を介して建物２に固定されている。
　　　【００１１】
　バルコニー１が取り付けられる建物２側の構造は、胴差しに相当する２枚合わせの側根太・ころび止め（受材）１１が、バルコニー１に平行に配設され、梁に相当する床根太１２が、側根太・ころび止め１１に直角に接合されている。また、建物１の端には、２枚合わせの端根太・ころび止め１３が、床根太１２に平行に配設されている。さらに、床根太１２の位置には、側根太・ころび止め１１の上側に竪枠１４が、下側に３枚合わせの頭つなぎ１５が、それぞれ接合されている。そして、バルコニー１は、その左右の妻梁２１が、それぞれ床根太１２と同芯になるように形成され、且つ上記２箇所のＬ字ブラケット３，３が、それぞれ床根太１２及び端根太・ころび止め１３と同芯になるように配設されている。
　　　【００１２】
　各Ｌ字ブラケット３は、屈曲部３ａから前方に延びるバルコニー１側の水平部３ｂと、屈曲部３ａから上方に延びる建物２側の鉛直部３ｃとで構成されており、水平部３ｂは中空断面の角材状に形成され、鉛直部３ｃは平板状に形成されている。水平部３ｂには、バルコニー１の妻梁２１が差し込まれた後ねじ止めされて取り付けられており、鉛直部３ｃは、複数本のコーチねじ（ラグスクリュー）４により、側根太・ころび止め１１及び竪枠１４に固定されている。また、各Ｌ字ブラケット３は、それぞれ補強金具５により建物２への固定を補強されている。補強金具５は、床根太１２の位置に取り付けられた定型補強金具５ａと、端根太・ころび止め１３の位置に取り付けられた異型補強金具５ｂとの２種類のものが用いられている。
　　　【００１３】
　定型補強金具５ａは、側根太・ころび止め１１の屋外側に設けた表側補強金具３１と、側根太・ころび止め１１の屋内側に設けた左右一対の裏側補強金具３２，３２と、表側補強金具３１及び各裏側補強金具３２間に渡した第１締結ボルト３３と、一対の裏側補強金具３２，３２間に渡した第２締結ボルト３４とで、構成されている。表側補強金具３１は、Ｌ字ブラケット３の屈曲部３ａからわずかに上方に位置し、鉛直部３ｃに交差するように、すなわち鉛直部３ｃを水平方向から跨ぐように設けられている。表側補強金具３１は、Ｌ字ブラケット３が嵌り込む凹部３１ａと、凹部３１ａから両側に連なる左右のフランジ部３１ｂ，３１ｂとから成り、各フランジ部３１ｂには、第１締結ボルト３３用の雌ねじ部材３５が固着されている。雌ねじ部材３５はフランジ部３１ｂの裏側に固着されており、Ｌ字ブラケット３を押さえるようにして、表側補強金具３１を側根太・ころび止め１１に押し当てた状態では、側根太・ころび止め１１に形成したざぐり穴に嵌合する。
　　　【００１４】
　各裏側補強金具３２は「Ｌ」字状に形成されており、側根太・ころび止め１１と床根太１２のコーナー部に、これらに添わせて設けられている。各裏側補強金具３２の側根太・ころび止め１１側の片には、側根太・ころび止め１１を貫通するように第１締結ボルト３３が設けられており、第１締結ボルト３３が表側補強金具３１の雌ねじ部材３５にねじ込まれて、側根太・ころび止め１１を挟んで、これらに表側補強金具３１と裏側補強金具３２とが締結されている。また、両裏側補強金具３２、３２の床根太１２側の片同士は、床根太１２を挟んで対侍し、床根太１２を貫通する第２締結ボルト３４により、この床根太１２を挟んで相互に締結されている。すなわち、Ｌ字ブラケット３は、表側補強金具３１及び裏側補強金具３２により、側根太・ころび止め１１及び床根太１２に固定されている。
　　　【００１５】
　一方、異型補強金具５ｂは、側根太・ころび止め１１から端根太・ころび止め１３に渡って建物のコーナー部に配設したコーナー補強金具４１と、側根太・ころび止め１１を貫通するように設けた第３締結ボルト４２と、端根太・ころび止め１３を貫通するように設けた第４締結ボルト４３と、各締結ボルト４２，４３を屋内側で受ける角座金４４とで、構成されている。コーナー補強金具４１は、Ｌ字ブラケット３が嵌り込む凹部４１ａと、凹部４１ａから側根太・ころび止め１１に沿って延びるフランジ部４１ｂと、凹部４１ａから屈曲し端根太・ころび止め１３に沿って延びる側片部４１ｃとから成り、フランジ部４１ｂには第３締結ボルト４２用のばか孔が形成され、側片部４１ｃには上記と同様に形成された第４締結ボルト４３用の雌ねじ部材４５が固着されている。この場合も、雌ねじ部材４５は側片部４１ｃの裏側に固着されており、端根太・ころび止め１３に形成したざぐり穴に嵌合する。
　　　【００１６】
　フランジ部４１ｂには、側根太・ころび止め１１挟んで角座金４４が対侍しており、側根太・ころび止め１１を貫通する第３締結ボルト４２により、この側根太・ころび止め１１を挟んでフランジ部４１ｂと角座金４４とが締結されている。また、側片部４１ｃには、端根太・ころび止め１３を挟んで各角座金４４が対侍しており、第４締結ボルト４３が屋内側から端根太・ころび止め１３を貫通し雌ねじ部材４５にねじ込まれて、端根太・ころび止め１３を挟んで側片部４１ｃと角座金４４とが締結されている。すなわち、Ｌ字ブラケット３は、コーナー補強金具４１及び角座金４４により、側根太・ころび止め１１及び端根太・ころび止め１３に固定されている。なお、各Ｌ字ブラケット３の水平部３ｂは、これに差し込まれる妻梁２１により外部から隠され、鉛直部３ｃは、笠木２２を支持するバルコニー１の竪枠２３により外部から隠される。また、表側補強金具３１の両フランジ部３１ｂ，３１ｂと、コーナー補強金具４１のフランジ部４１ｂ及び側片部４１ｃとは、外壁仕上げ材により隠される。
　　　【００１７】
　以上のように本実施例によれば、バルコニー１を支持する水平部３ｂと建物２に固定される鉛直部３ｃとから成るＬ字ブラケット３を用いて、バルコニー１が建物２に取り付けられているので、バルコニー１の荷重を建物２の上下方向に広く分散させることができ、且つ水平方向に延びる定型補強金具５ａ及び異型補強金具５ｂにより、Ｌ字ブラケット３の固定状態が補強されているので、バルコニー１の荷重を建物２の左右方向に広く分散させることができる。このため、バルコニー１の荷重を、建物２側の広い部分に分散して受けることができ、バルコニー１の荷重が建物２側の構造材に部分的に集中することがない。したがって、建物２側の構造材に支障を生ずることなく、バルコニー１を強固に取り付けることができる。
　　　【００１８】
　また、定型補強金具５ａの表側補強金具３１により、第１締結ボルト３３を、床根太１２の両側の床根太１２を逃げた位置で、側根太・ころび止め１１に貫通させることができ、バルコニー１を側根太・ころび止め１１に強固に取り付けることができ、さらに裏側補強金具３２により、バルコニー１を同時に床根太１２にも強固に取り付けることができる。すなわち、Ｌ字ブラケット３を床根太１２と同芯上に配設した状態で、バルコニー１を建物２に強固に取り付けることができる。さらに、補強金具として、建物２の平面部分に用いる定型補強金具５ａと、コーナー部分に用いる異型補強金具５ｂとを用意しておくことにより、Ｌ字ブラケット３をバルコニー１に合わせた一種類のもので、バルコニー１を建物２の任意の位置に取り付けることができる。
　　　【００１９】
　一方、定型補強金具５ａ及び異型補強金具５ｂの裏面に、それぞれ雌ねじ部材３５，４５を固着しておくことにより、ナット合わせをすることなく、締結ボルト３３，４３を一方向から簡単に締め付けることができる。また、雌ねじ部材がこれら補強金具５の表面に突出しないため、外壁材で雌ねじ部材を完全に覆うことができると共に、外壁材の表面に凹凸が生ずるのを防止することができる。特に、枠組壁工法では、側根太や竪枠に壁下張り材を張り込んだ後これを建て付けるため、締結ボルトを取り付ける際には、壁下張り材を挟んで屋外側と屋内側とに２人の作業者が必要になってしまう。したがって、枠組壁工法の建物におけるこの雌ねじ部材３５，４５は、作業性の面で極めて有用に機能する。なお、上記の雌ねじ部材３５，４５に代えて、定型補強金具５ａ及び異型補強金具５ｂに雄ねじ部材を固着するようにしてもよい。
　　　【００２０】
　図３は、上記した枠組壁工法の建物における特異性にかんがみて設計された、裏側補強金具の変形例である。この裏側補強金具５１は、床根太１２を挟んで対峙する左右一対の孔開きプレート５２，５２と、両孔開きプレート５２，５２を床根太１２に固定する４本の貫通ボルト５３と、孔開きプレート５２の角孔５２ａを貫通すると共に床根太１２を貫通するように配設した雌ねじブロック５４とで構成されている。雌ねじブロック５４の中間部には、Ｌ字ブラケット（図示省略）を固定する締結ボルト５５用の雌ねじが螺刻されている。また、特に図示しないが、締結ボルト５５の先端は、雌ねじブロック５４の雌ねじに容易に挿入（位置合わせ）できるように、鋭利に形成されている。一方。側根太・ころび止め１１及び床根太１２には、雌ねじブロック５４の雌ねじに向かって、側根太・ころび止め１１を貫通すると共に床根太１２を長手方向に貫通する貫通孔５６が形成されている。
　　　【００２１】
　この構成によれば、屋外側から貫通孔５６に締結ボルト５５を挿入すると、締結ボルト５５の先端が雌ねじブロック５４の雌ねじに入り込み、締結ボルト５５と雌ねじブロック５４との位置合わせが行われる。続いて、締結ボルト５５を雌ねじブロック５４に締め込んでゆくと、雌ねじブロック５４が屋外側に引き付けられ、同時に両孔開きプレート５２，５２が屋外側に引き付けられて、Ｌ字ブラケット３が、側根太・ころび止め１１及び床根太１２に強固に固定される。この場合も、締結ボルト５５を一方向から簡単に締め付けることができ、作業性を向上させることができる。またこれは、Ｌ字ブラケット３が床根太１２と同芯上に取り付けられていないときに有効である。
　　　【００２２】
　なお、上記実施例では、バルコニーを床根太にも支持させるようにしているが、単に側根太・ころび止めにのみ支持させるようにしてもよい。
　　　【００２３】
　　【発明の効果】
　以上のように本発明のバルコニーの取付構造によれば、Ｌ字ブラケット及び補強金具を用いて、バルコニーを建物に取り付けるようにしているので、バルコニーの荷重を建物側の広い部分で分散して受けることができ、建物側の構造材に撓み等の支障を生ずることなく、バルコニーを強固に取り付けることができる。
【図面の簡単な説明】
　　【図１】
　本発明の一実施例に係るバルコニーの取付構造を適用したバルコニー廻りの平面図である。
　　【図２】
　実施例のバルコニーの取付構造を適用したバルコニー廻りの縦断面図である。
　　【図３】
　裏側補強金具の変形例の拡大斜視図である。
　　【符号の説明】
　１　バルコニー、２　建物、３　Ｌ字ブラケット、３ａ　屈曲部、３ｂ　水平部、３ｃ　鉛直部、５ａ　定型補強金具、５ｂ　異型補強金具、１１　側根太・ころび止め、３１　表側補強金具、３３　第１締結ボルト、３５　雌ねじ部材